(57)【要約】【目的】他のコネクタ端子が接続されてはいないが使用してはいけないコネクタ端子差込口に、誤って別のコネクタ端子を差し込むことを防止する、ケーブルのコネクタ端子の代わりに差込むロック可能なダミー端子を提供する。【構成】ダミー端子１０は、ダミー端子本体１２と薄板部１３と係止片１４と押しネジ３０とから構成されている。また、ダミー端子本体１２は、側面部１２Ａ、側面部１２Ｂ、上面部１２Ｃからなる溝状体と、該溝状体の一端に設けられた前面部１２Ｄとから概略構成されている。また、薄板部１３は、前面部１２Ｄに取り付けられる固定部１３Ａと、係止片１４の係止状態を規制する規制片１３Ｂとから概略構成されている。【選択図】    図１
0003101921.tif 000002
【実用新案登録請求の範囲】
【請求項１】
信号を送受信するケーブルの端部に取り付けられたコネクタ端子が差込まれるコネクタ端子差込口に差込まれるダミー端子において、
前記コネクタ端子差込口に挿入されるダミー端子本体と、前記ダミー端子本体に備えられ、前記コネクタ端子差込口に設けられたコネクタ端子係止部に係止されるダミー端子係止手段と、前記ダミー端子本体に備えられ、前記ダミー端子本体が前記コネクタ端子差込口に挿入された状態で、前記ダミー端子係止手段による前記ダミー端子の係止状態をロックするダミー端子固定手段とを具備するダミー端子であって、
前記ダミー端子係止手段は、可撓性の係止片と、前記係止片に設けられ、前記コネクタ端子係止部に係止される係止部とを備え、
前記ダミー端子固定手段は、前記ダミー端子本体に設けられたネジ穴と、前記ネジ穴に着脱可能に螺合される押しネジとを備え、
前記押しネジを締め付けることにより前記ダミー端子の係止状態をロックし、前記押しネジを緩めることにより係止状態のロックを解除することを特徴とするダミー端子。
【請求項２】
前記ダミー端子固定手段は、前記ダミー端子本体に回動自在に設けられていることを特徴とする請求項１に記載のダミー端子。
【請求項３】
信号を送受信するケーブルの端部に取り付けられたコネクタ端子が差込まれるコネクタ端子差込口に差込まれるダミー端子において、
コネクタ端子挿入口に挿入される基台と、基台に設けられた起立片と、基台と略平行に配設され、先端部にコネクタ端子のコネクタ端子係止部に係止される係止部を有し、基端部が起立片に接続される係止片とを備えるダミー端子本体と、
前記コネクタ端子差込口に前記ダミー端子本体が挿入されることによる抜き取り禁止の状態を解除するダミー端子解除手段とを具備するダミー端子であって、
前記ダミー端子解除手段は、前記ダミー端子本体に設けられたネジ穴と、前記ネジ穴に着脱可能に螺合される押しネジとを備え、
前記押しネジを前記押しネジを緩めることにより前記ダミー端子を抜き取り禁止の状態とし、前記押しネジを締め付けることにより抜き取り禁止の状態を解除することを特徴とするダミー端子。
【請求項４】
信号を送受信するケーブルの端部に取り付けられたコネクタ端子が差込まれるコネクタ端子差込口に差込まれるダミー端子において、
コネクタ端子挿入口に挿入される基台と、基台に設けられた起立片と、基台と略平行に配設され、先端部にコネクタ端子のコネクタ端子係止部に係止される係止部を有し、基端部が起立片に接続される係止片とを備えるダミー端子本体と、
前記ダミー端子本体に備えられ、前記ダミー端子本体が前記コネクタ端子差込口に挿入された状態で、前記係止片による前記ダミー端子の係止状態をロックするダミー端子固定手段とを具備するダミー端子であって、
前記ダミー端子固定手段は、前記ダミー端子本体に設けられたネジ穴と、前記ネジ穴に着脱可能に螺合される押しネジとを備え、
前記押しネジを前記押しネジを締め付けることにより前記ダミー端子の係止状態をロックし、前記押しネジを緩めることにより係止状態のロックを解除することを特徴とするダミー端子。
【請求項５】
前記ダミー端子を識別可能にする識別手段として、カラーシール、特殊ネジまたは着色ダミー端子の内の少なくとも１つを利用することを特徴とする請求項１乃至４に記載のダミー端子。
【考案の詳細な説明】
【技術分野】
【０００１】  本考案は、信号を送受信するケーブルの端部に取り付けられたコネクタ端子が差込まれるコネクタ端子差込口に、ケーブルのコネクタ端子の代わりに差込むロック可能なダミー端子に関する。
【背景技術】
【０００２】  従来から、相互通信を行うために、様々な信号を通信ケーブルにより送受信している。この通信ケーブルはその両端部に取り付けられたコネクタ端子により通信装置や通信中継装置のコネクタ端子差込口に接続されているが、通信手段・方式の多様化や通信量の増大により、通信装置や通信中継装置のコネクタ端子差込口は非常に膨大な数を有する場合がある。【０００３】  例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を利用したＬＡＮ（Ｌｏｃａｌ  Ａｒｅａ  Ｎｅｔｗｏｒｋ）による情報通信ネットワークでは、通信端末である複数のコンピュータを接続するために、ＬＡＮケーブルのコネクタ端子を多数接続することができるハブが利用されている。
【考案の開示】
【考案が解決しようとする課題】
【０００４】  しかしながら、このハブに設けられている全てのコネクタ端子差込口にＬＡＮケーブルのコネクタ端子が接続されていることはまれである。また、コンピュータの新設・移動やネットワークの再構築などで、ＬＡＮケーブルのコネクタ端子をハブに接続し直す機会も多い。このような時に、他のコネクタ端子が接続されてはいないが使用してはいけないコネクタ端子差込口に、誤って別のコネクタ端子を差し込んでしまい、情報通信ネットワークに障害をもたらす事故が発生する問題点があった。【０００５】  また、情報通信ネットワークでは、通常ネットワーク管理者によりＬＡＮケーブルの接続が管理されているが、様々な理由により複数のネットワーク管理者やネットワーク管理者以外の者もＬＡＮケーブルのコネクタ端子のハブへの接続を行う場合があった。このような場合、管理者別に使用してよいコネクタ端子差込口を識別する手段や、使用してはいけないコネクタ端子差込口を識別する手段がなかったため、使用してはいけないコネクタ端子差込口に誤って別のコネクタ端子を差し込んでしまい、情報通信ネットワークに障害をもたらす事故が発生する問題点があった。
【課題を解決するための手段】
【０００６】  この考案の目的は、上述した事情に鑑みなされたもので、この考案の主たる目的は、他のコネクタ端子が接続されてはいないが使用してはいけないコネクタ端子差込口に、誤って別のコネクタ端子を差し込むことを防止する、ケーブルのコネクタ端子の代わりに差込むロック可能なダミー端子を提供することである。【０００７】  また、この考案の他の目的は、管理者別に使用してよいコネクタ端子差込口の識別や、使用してはいけないコネクタ端子差込口の識別を行うことができる、ケーブルのコネクタ端子の代わりに差込むロック可能なダミー端子を提供することである。【０００８】  上述した課題を解決し、目的を達成するため、この考案に係わるダミー端子は、請求項１の記載によれば、信号を送受信するケーブルの端部に取り付けられたコネクタ端子が差込まれるコネクタ端子差込口に差込まれるダミー端子において、前記コネクタ端子差込口に挿入されるダミー端子本体と、前記ダミー端子本体に備えられ、前記コネクタ端子差込口に設けられたコネクタ端子係止部に係止されるダミー端子係止手段と、前記ダミー端子本体に備えられ、前記ダミー端子本体が前記コネクタ端子差込口に挿入された状態で、前記ダミー端子係止手段による前記ダミー端子の係止状態をロックするダミー端子固定手段とを具備することを特徴とする。【０００９】  上述した課題を解決し、目的を達成するため、この考案に係わるダミー端子は、請求項２の記載によれば、前記ダミー端子係止手段は、可撓性の係止片と、前記係止片に設けられ、前記コネクタ端子係止部に係止される係止部とを備えることを特徴とする。【００１０】上述した課題を解決し、目的を達成するため、この考案に係わるダミー端子は、請求項３の記載によれば、前記ダミー端子固定手段は、前記ダミー端子本体に設けられたネジ穴と、前記ネジ穴に着脱可能に螺合される押しネジとを備え、前記押しネジを締め付けることにより前記ダミー端子の係止状態をロックし、前記押しネジを緩めることにより係止状態のロックを解除することを特徴とする。【００１１】  上述した課題を解決し、目的を達成するため、この考案に係わるダミー端子は、請求項４の記載によれば、前記ダミー端子固定手段は、前記ダミー端子本体に回動自在に設けられていることを特徴とする。【００１２】  上述した課題を解決し、目的を達成するため、この考案に係わるダミー端子は、請求項５の記載によれば、信号を送受信するケーブルの端部に取り付けられたコネクタ端子が差込まれるコネクタ端子差込口に差込まれるダミー端子において、コネクタ端子挿入口に挿入される基台と、基台に設けられた起立片と、基台と略平行に配設され、先端部にコネクタ端子のコネクタ端子係止部に係止される係止部を有し、基端部が起立片に接続される係止片とを備えるダミー端子本体と、前記コネクタ端子差込口に前記ダミー端子本体が挿入されることによる抜き取り禁止の状態を解除するダミー端子解除手段とを具備することを特徴とする。【００１３】  上述した課題を解決し、目的を達成するため、この考案に係わるダミー端子は、請求項６の記載によれば、前記ダミー端子解除手段は、前記ダミー端子本体に設けられたネジ穴と、前記ネジ穴に着脱可能に螺合さ���る押しネジとを備え、前記押しネジを前記押しネジを緩めることにより前記ダミー端子を抜き取り禁止の状態とし、前記押しネジを締め付けることにより抜き取り禁止の状態を解除することを特徴とする。【００１４】  上述した課題を解決し、目的を達成するため、この考案に係わるダミー端子は、請求項７の記載によれば、信号を送受信するケーブルの端部に取り付けられたコネクタ端子が差込まれるコネクタ端子差込口に差込まれるダミー端子において、コネクタ端子挿入口に挿入される基台と、基台に設けられた起立片と、基台と略平行に配設され、先端部にコネクタ端子のコネクタ端子係止部に係止される係止部を有し、基端部が起立片に接続される係止片とを備えるダミー端子本体と、前記ダミー端子本体に備えられ、前記ダミー端子本体が前記コネクタ端子差込口に挿入された状態で、前記係止片による前記ダミー端子の係止状態をロックするダミー端子固定手段とを具備することを特徴とする。【００１５】  上述した課題を解決し、目的を達成するため、この考案に係わるダミー端子は、請求項８の記載によれば、前記ダミー端子固定手段は、前記ダミー端子本体に設けられたネジ穴と、前記ネジ穴に着脱可能に螺合される押しネジとを備え、前記押しネジを前記押しネジを締め付けることにより前記ダミー端子の係止状態をロックし、前記押しネジを緩めることにより係止状態のロックを解除することを特徴とする。【００１６】  上述した課題を解決し、目的を達成するため、この考案に係わるダミー端子は、請求項９の記載によれば、前記ダミー端子を識別可能にする識別手段を具備することを特徴とする。【００１７】  上述した課題を解決し、目的を達成するため、この考案に係わるダミー端子は、請求項１０の記載によれば、前記識別手段にカラーシール、特殊ネジまたは前記ダミー端子の着色の内の少なくとも１つを利用することを特徴とする。
【考案の効果】
【００１８】  この考案によれば、他のコネクタ端子が接続されてはいないが使用してはいけないコネクタ端子差込口に、誤って別のコネクタ端子を差し込むことを防止する、ケーブルのコネクタ端子の代わりに差込むロック可能なダミー端子を提供することができる。【００１９】  また、この考案によれば、管理者別に使用してよいコネクタ端子差込口の識別や、使用してはいけないコネクタ端子差込口の識別を行うことができる、ケーブルのコネクタ端子の代わりに差込むロック可能なダミー端子を提供することができる。
【考案を実施するための最良の形態】
【００２０】  以下に本考案に係わるダミー端子の実施の形態について図を用いて詳細に説明する。【００２１】＜第一の実施例＞
以下に図１乃至図８を用いて第一の実施例を説明する。
図１は、本考案の第一の実施例であるダミー端子１０の斜視図である。ダミー端子１０は、ダミー端子本体１２と薄板部１３と係止片１４と押しネジ３０とから構成されている。また、ダミー端子本体１２は、側面部１２Ａ、側面部１２Ｂ、上面部１２Ｃからなる溝状体と、該溝状体の一端に設けられた前面部１２Ｄとから概略構成されている。このダミー端子本体１２は、使用されるコネクタ端子挿入部に、ほぼ同寸法に作製されている。また、薄板部１３は、前面部１２Ｄに取り付けられる固定部１３Ａと、係止片１４の係止状態を規制する規制片１３Ｂとから概略構成されている。また、係止片１４は、ダミー端子本体１２の溝状体の他端側に設けられ、係止片１４をダミー端子本体１２に固着する固着部１４Ａと、撓み部１４Ｂと、係止部１４Ｃと、係止解除部１４Ｄとから構成されている。【００２２】  また、係止片１４は、撓み部１４Ｂが幅広に設定されており、この撓み部１４Ｂに引き続く係止解除部１４Ｄは、撓み部１４Ｂよりも幅狭に設定されている。即ち、係止片１４は、幅方向に関して略中ほどで段差が形成されており、この段差が、コネクタ端子差込口に設けられたコネクタ端子係止部に係止される係止部１４Ｃとして機能するようになっている。【００２３】  図２及び図３は、ダミー端子本体１２とダミー端子本体１２に固着された係止片１４の詳細を示す図である。図２（ａ）は、ダミー端子本体１２の上面部１２Ｃの方向から見た平面図であり、図２（ｂ）は、ダミー端子本体１２の側面部１２Ａの方向から見た平面図であり、図２（ｃ）は、ダミー端子本体１２の側面部１２Ａ、側面部１２Ｂ、上面部１２Ｃからなる溝状体の一端に設けられた前面部１２Ｄの方向から見た平面図である。また、図３（ａ）は、ダミー端子本体１２の側面部１２Ａ、側面部１２Ｂ、上面部１２Ｃからなる溝状体の開放方向から見た平面図であり、図３（ｂ）は、該溝状体の他端方向から見た平面図である。【００２４】  ダミー端子本体１２には、ネジ穴保持部１２Ｅが、側面部１２Ａ、側面部１２Ｂ、上面部１２Ｃからなる溝状体の内部の前面部１２Ｄ側に設けられている。また、このネジ穴保持部１２Ｅには、押しネジ３０を螺合するネジ穴１２Ｆが、前面部１２Ｄに対して垂直方向に設けられている。【００２５】  また、図４は、薄板部１３の詳細を示す図である。図４（ａ）は、薄板部１３の正面図であり、図４（ｂ）は薄板部１３の側面図である。【００２６】  薄板部１３の固定部１３Ａの中心部付近にはバカ穴１３Ｃが設けられている。また、規制片１３Ｂの厚みが固定部１３Ａより厚みを厚く形成されており、これにより係止片１４の係止状態を確実に規制することができる。【００２７】  尚、ダミー端子本体１２、薄板部１３、係止片１４の材料には、成形が容易であると共に安価であり、また絶縁性・弾性を有する合成樹脂が主に用いられており、例えばＡＢＳ（アクリルニトリル・ブタジエン・スチレン）樹脂、ＡＡＳ（アクリルゴム・アクリルニトリル・スチレン）樹脂、ＰＣ（ポリカーボネイト）樹脂などが用いられている。【００２８】  次に図５乃至図７を用いて、ダミー端子１０がハブ１０１のコネクタ端子差込口に差込まれ、ダミー端子１０の係止状態がロックされる様子を���明する。【００２９】本考案のダミー端子１０は、通信端末である複数のコンピュータを接続するために、ＬＡＮケーブルのコネクタ端子を多数接続するハブ１０１のコネクタ端子差込口に挿入され、その状態をロックし或は解除するよう取り付けられている。【００３０】  図５は、ダミー端子１０が挿入されるハブ１０１のコネクタ端子差込口１０４を示す斜視図である。また、図６は、ダミー端子１０がハブ１０１のコネクタ端子差込口１０４に挿入される前の状態を示しており、図７は、ダミー端子１０がコネクタ端子差込口１０４に挿入されて、その挿入状態がロックされている状態を示している。【００３１】  図５に示すように、複数のコネクタ端子差込口１０４は、開口部の上縁に係止片１４の幅広の撓み部１４Ｂが挿通可能な第一の溝部１０４Ａが形成されており、さらに、この溝部１０４Ａの上底面には、係止片１４の幅広の撓み部１４Ｂが挿通不能で、幅狭の係止解除部１４Ｄのみが挿通可能な第二の溝部１０４Ｂが形成されている。尚、コネクタ端子係止部は、第一の溝部１０４Ａと第二の溝部１０４Ｂとの段差により形成されている。即ち、第一の溝部１０４Ａのダミー端子挿入方向の長さは短く設定され、ダミー端子がコネクタ端子差込口に完全に差込まれる位置までくると、撓み部１４Ｂの弾性力により係止部１４Ｃが、第一の溝部１０４Ａと第二の溝部１０４Ｂとの深さ方向の段差により形成されているコネクタ端子係止部に落ち込むように入り込むことで、ダミー端子本体１２はコネクタ端子に係止される。【００３２】  次に図６と図７により、ダミー端子１０がハブ１０１のコネクタ端子差込口１０４に挿入されて、その挿入状態がロックされる状態を説明する。図６において、押しネジ３０は緩められているため、薄板部１３はダミー端子本体１２に完全に取り付けられた状態ではなく係止片１４は規制状態となっていない。この状態でダミー端子１０が係止片１４の固着部１４Ａ側からコネクタ端子差込口１０４に挿入されると、係止片１４の撓み部１４Ｂは、弾性的に押し込まれながら第一の溝部１０４Ａを挿通する。【００３３】  このダミー端子１０の挿入により、係止片１４の幅広の撓み部１４Ｂは、第一の溝部１０４Ａを通り抜けながら、これの上底面で徐々に押し下げられることになる。そして、係止部１４Ｃが、上述したコネクタ端子係止部を通過した時点で、撓み部１４Ｂの弾性力により幅狭の第二の溝部１０４Ｂまで落ち込むように入り込むことにより、コネクタ端子係止部に係止されることになる。このような撓み部１４Ｂと係止解除部１４Ｄとの幅方向の段差と、第一の溝部１０４Ａと第二の溝部１０４Ｂとの深さ方向の段差との係止関係により、ダミー端子１０のコネクタ端子差込口１０４への差込状態が、抜き取り不能に係止されることになる。【００３４】  ダミー端子１０がコネクタ端子差込口１０４に抜き取り不能に係止された差込状態で押しネジ３０を締め付ける。薄板部１３には押しネジ３０を通すバカ穴１３Ｃが設けられているので、この締め付けにより薄板部１３の固定部１３Ａはダミー端子本体１２の前面部１２Ｄに固定される。この固定部１３Ａの固定により、規制片１３Ｂが係止片１４の係止解除部１４Ｄの動きを規制し、図７のように、ダミー端子１０はコネクタ端子差込口１０４に差し込まれた状態で維持（即ちロック）されることとなる。このように、他のコネクタ端子は接続されてはいないが使用してはいけないコネクタ端子差込口に、本考案のダミー端子を予め差込んで抜き取り禁止の状態にすることで、誤って別のコネクタ端子が差し込まれることを防止することができる。【００３５】  一方、この抜き取り禁止の差込状態から、ダミー端子１０を抜き取るには、先ず、押しネジ３０を緩めて薄板部１３の固定部１３Ａの固定状態を解除し、規制片１３Ｂにより動きが規制されていた係止解除部１４Ｄを可動状態とする。次に係止解除部１４Ｄを自身の弾性力に抗して押し下げる。この押し下げにより、上述した撓み部１４Ｂと係止解除部１４Ｄとの幅方向の段差と、第一の溝部１０４Ａと第二の溝部１０４Ｂとの深さ方向の段差との間の係止状態が解除され、ダミー端子１０はコネクタ端子差込口１０４から抜き出すことができる。【００３６】  また、上記第一の実施例においては、押しネジ３０の種類は特に指定していなかったが、通常のネジを使用しても良いし、図８に示す特殊ネジを使用しても良い。【００３７】  ダミー端子１０がコネクタ端子差込口に差込まれていることにより、誤って別のコネクタ端子を差し込む偶発的な事故は未然に防ぐ効果はある。しかし、押しネジ３０が通常のネジでは緩めることは容易であり、間違えてダミー端子１０をコネクタ端子差込口から抜き取って、別のコネクタ端子を差してはいけないコネクタ端子差込口に差し込まれるような事故に対しては有効ではない。【００３８】  図８は、押しネジ３０が特殊ネジである場合の例を示す図である。押しネジ３０はネジ頭３０Ａとネジ部３０Ｂとから構成される。図８（ａ）は超極低頭ネジ、図８（ｂ）は皿ネジ型のいたずら防止ネジ、図８（ｃ）は丸ネジ型のいたずら防止ネジなどの例である。これらは、いずれもネジの脱着を行うネジ頭３０Ａに特殊な立体形状の窪みが形成されており、専用工具でこのネジ頭３０Ａを回すことにより押しネジ３０を取り外すことが出来る。【００３９】  図８に示すような特殊ネジを押しネジ３０として使用することにより、本考案のダミー端子の識別が可能となり、管理者別に使用してよいコネクタ端子差込口の識別や、使用してはいけないコネクタ端子差込口の識別を行うことが可能である。即ち、図８に示すような特殊ネジでは、その着脱に専用工具を使用する必要があるので、例えば、特定の管理者のみが使用する特別なコネクタ端子差込口に、図８（ａ）に示す特殊ネジを押しネジ３０として使用し、図８（ａ）に示す特殊ネジの着脱に必要な専用工具を特定の管理者のみが使用可能としておけば、特別なコネクタ端子差込口は特定の管理者のみしか使用することが出来なくなる。このように、特殊ネジを押しネジ３０として使用することにより、誤ってダミー端子１０がコネクタ端子差込口から抜き取られる事故を防ぐことが可能である。【００４０】＜変形例＞
第一の実施例において、ダミー端子１０をコネクタ端子差込口１０４に差し込む際には、押しネジ３０は緩めた状態で挿入すると説明したが、この考案はこの方法に限定されることはなく、図７のダミー端子１０のように、押しネジ３０を締め付けて、固定部１３Ａを前面部１２Ｄに固定して規制片１３Ｂが係止片１４の係止解除部１４Ｄの動きを規制した状態のまま、コネクタ端子差込口１０４に差し込むことが可能である。これは、係止片１４が規制状態であっても、ダミー端子１０がコネクタ端子差込口１０４に挿入されると、係止片１４の撓み部１４Ｂは、弾性的に押し込まれて係止部１４Ｃがコネクタ端子係止部を通過することが可能であるからである。このように押しネジ３０を締め付けた状態でダミー端子１０をコネクタ端子差込口１０４に差し込むことが可能であるので、予め準備したダミー端子を使用してはいけないコネクタ端子差込口に順次挿入することができ、コネクタ端子の誤接続に有効である。【００４１】＜第二の実施例＞
以下に図９乃至図１２を用いて第二の実施例を説明する。
図９は、本考案の第二の実施例であるダミー端子１０の斜視図である。また、図１０及び図１２は、第二の実施例におけるダミー端子１０の三面図であるであり、図１０は本体１０の平面図、図１１は本体１０の側面図、図１２は本体１０の正面図である。【００４２】  ダミー端子１０は、略直方体のダミー端子本体１２と薄板部１３と係止片１４と押しネジ３０とから構成されている。ダミー端子本体１２は、使用されるコネクタ端子挿入部にほぼ同寸法に作製されており、その一端側には薄板部１３が回動自在に設けられ、他端側には係止片１４が固着されている。また、ダミー端子本体１２には、押しネジ３０を螺合するネジ穴１２Ｆが、一端側面に対して垂直方向に設けられている。【００４３】  薄板部１３は、ダミー端子本体１２の一端側に設けられた回動部１２Ｇと、回動部１２Ｇによりダミー端子本体１２の一端側に接触配置される固定部１３Ａと、係止片１４の係止状態を規制する規制片１３Ｂとから概略構成されている。また、固定部１３Ａの中央部付近には、回動部１２Ｇから規制片１３Ｂへ向かう方向と平行に、押しネジを通すための切り欠き部１３Ｄが設けられている。押しネジ３０が緩められてはいるがはずされていない時は、切り欠き部１３Ｄにより薄板部１３は、押しネジ３０が緩められている分だけ回動可能となっている。【００４４】  係止片１４は、ダミー端子本体１２の他端側に設けられ、係止片１４をダミー端子本体１２に固着する固着部１４Ａと、撓み部１４Ｂと、係止部１４Ｃと、係止解除部１４Ｄとから構成されている。また、係止片１４は、撓み部１４Ｂが幅広に設定されており、この撓み部１４Ｂに引き続く係止解除部１４Ｄは、撓み部１４Ｂよりも幅狭に設定されている。即ち、係止片１４は、幅方向に関して略中ほどで段差が形成されており、この段差が、コネクタ端子差込口に設けられたコネクタ端子係止部に係止される係止部１４Ｃとして機能するようになっている。【００４５】  第二の実施例において、ダミー端子１０をハブ１０１のコネクタ端子差込口に挿入して、その挿入状態がロックさせるには、先ず図９の状態で押しネジ３０を緩めておき、規制片１３Ｂが規制解除部１４Ｄの動きを規制しない状態で、ダミー端子本体１２をコネクタ端子差込口に差し込む。ダミー端子本体１２をコネクタ端子差込口に差し込んでいくと、係止片１４の撓み部１４Ｂは弾性的に押し込まれ、係止部１４Ｃがコネクタ端子差込口に設けられたコネクタ端子係止部に係止される。次に、ダミー端子１０がコネクタ端子差込口１０４に抜き取り不能に係止された差込状態で押しネジ３０を締め付けると、薄板部１３の固定部１３Ａは、ダミー端子本体１２の一端側に接触した状態で固定される。この固定部１３Ａの固定により、規制片１３Ｂが係止片１４の係止解除部１４Ｄの動きを規制し、ダミー端子１０はコネクタ端子差込口に差し込まれた状態で維持（即ちロック）されることとなる。このように、他のコネクタ端子は接続されてはいないが使用してはいけないコネクタ端子差込口に、本考案のダミー端子を予め差込んで抜き取り禁止の状態にすることで、誤って別のコネクタ端子が差し込まれることを防止することができる。【００４６】  一方、この抜き取り禁止の��込状態から、ダミー端子１０を抜き取るには、先ず、押しネジ３０を緩めて薄板部１３の固定部１３Ａの固定状態を解除し、規制片１３Ｂにより動きが規制されていた係止解除部１４Ｄを可動状態とする。次に係止解除部１４Ｄを自身の弾性力に抗して押し下げる。この押し下げにより、ダミー端子１０の係止状態が解除され、ダミー端子１０はコネクタ端子差込口１０４から抜き出すことができる。【００４７】  尚、ダミー端子本体１２、薄板部１３、係止片１４の材料には、成形が容易であると共に安価であり、また絶縁性・弾性を有する合成樹脂が主に用いられており、例えばＡＢＳ（アクリルニトリル・ブタジエン・スチレン）樹脂、ＡＡＳ（アクリルゴム・アクリルニトリル・スチレン）樹脂、ＰＣ（ポリカーボネイト）樹脂などが用いられている。【００４８】＜第三の実施例＞
以下に図１３及び図１４を用いて第二の実施例を説明する。
図１３（ａ）はダミー端子１０の斜視図、図１３（ｂ）はダミー端子１０がコネクタ端子差込口に挿入された状態の一部断面図である。また、図１４（ａ）はダミー端子１０の側面図、図１４（ｂ）はダミー端子１０の平面図である。【００４９】  第三の実施例におけるダミー端子１０は、ダミー端子本体１２と押しネジ３０とから構成されている。また、ダミー端子本体１２は、コネクタ端子挿入口に挿入される略直方体の基台１６と、基台１６のコネクタ端子挿入口に挿入される一端部側と反対の他端部側に設けられた起立片１７と、基台１６と略平行に配設され、先端部にコネクタ端子のコネクタ端子係止部に係止される係止部１４Ａを有し、基端部が起立片１７に接続される係止片１４とから構成されている。また、このダミー端子本体１２は、使用されるコネクタ端子挿入部に、ほぼ同寸法に作製されている。また、基台１６と起立片１７と係止片１４とは一体に形成されている。【００５０】  尚、基台１６には、押しネジ３０を螺合するネジ部１６Ａが設けられており、係止片１４には押しネジ３０を通すバカ穴１４Ｅが設けられている。また、係止片１４は、基端部と基台１６との距離より先端部と基台１６との距離が大きく設定されている。また、ダミー端子本体１２、係止片１４、起立片１７の材料は、第一及び第二の実施例で説明した、成形が容易であると共に安価であり、また絶縁性・弾性を有する合成樹脂が主に用いられている。【００５１】  次に第二の実施例のダミー端子１０がハブ１０１のコネクタ端子差込口に差込まれ、ダミー端子１０の係止状態がロックされる様子を説明する。【００５２】  本考案のダミー端子１０は、通信端末である複数のコンピュータを接続するために、ＬＡＮケーブルのコネクタ端子を多数接続するハブ１０１のコネクタ端子差込口に挿入され、その状態をロックし或は解除するよう取り付けられている。【００５３】  図１３（ｂ）のハブ１０１は、図５で説明したハブと同様の構成となっている。すなわち、ハブ１０１のコネクタ端子差込口１０４には、第一の溝部１０４Ａと第二の溝部１０４Ｂが形成されており、コネクタ端子係止部は、第一の溝部１０４Ａと第二の溝部１０４Ｂとの段差により形成されている。第三の実施例におけるダミー端子１０をコネクタ端子挿入部に差し込むと、係止片１４は弾性的に押し込まれながら第一の溝部１０４Ａを挿通し、係止部１４Ａがコネクタ端子係止部に抜き取り禁止に係止される。この係止状態は、第二の実施例におけるダミー端子１０に係止解除片が設けられていないために、簡単に解除できない。よって、第三の実施例におけるダミー端子１０は、他のコネクタ端子は接続されてはいないが使用してはいけないコネクタ端子差込口に差し込むだけで、誤って別のコネクタ端子が差し込まれることを防止することができる。【００５４】  一方、第三の実施例におけるダミー端子１０をコネクタ端子挿入口から抜き取るには、押しネジ３０を締め付けて、係止片１４を係止片１４と起立片１７の弾性力に抗して基台１６の方向に撓ませて、係止部１４Ａのコネクタ端子係止部に係止された状態を解除する。【００５５】＜変形例＞
第三の実施例において、押しネジ３０が螺合されるネジ穴１６Ａは、基台１６に設けられると説明したが、この考案はこの構成に限定されることはなく、ネジ穴を係止片１４に設けてもよい。このネジ穴１６Ａを係止片１４に設ける構成においては、係止片１４は、基端部と基台１６との距離と先端部と基台１６との距離はほぼ等しく設定されている。この変形例において、押しネジ３０を締め付けることで係止片１４は基台１６から離れる方向に押し上げられ、係止部１４Ａのコネクタ端子挿入口のコネクタ端子係止部への係止状態をロックすることになる。また、この係止状態のロックを解除するには押しネジ３０を緩めればよい。尚、この構成では基台１６にバカ穴を設ける必要はない。【００５６】＜第四の実施例＞
以下に図１５及び図１６を用いて第四の実施例を説明する。
図１５（ａ）はダミー端子１０の斜視図、図１５（ｂ）はダミー端子１０がコネクタ端子差込口に挿入された状態の一部断面図である。また、図１６（ａ）はダミー端子１０の側面図、図１６（ｂ）はダミー端子１０の平面図である。【００５７】  第四の実施例におけるダミー端子１０は、ダミー端子本体１２と押しネジ３０とから構成されている。また、ダミー端子本体１２は、コネクタ端子挿入口に挿入される基台１６と、基台１６のコネクタ端子挿入口に挿入される一端部側に設けられた起立片１７と、基台１６と略平行に配設され、先端部にコネクタ端子のコネクタ端子係止部に係止される係止部１４Ａを有し、基端部が起立片１７に接続される係止片１４と、基台１６と一体で形成され押しネジ３０のネジ穴１８Ａが設けられた螺合部１８と、基台１６と一体で形成され、ダミー本体１２をコネクタ端子挿入口に抜き差しする際に掴む取っ手部１９から構成されている。また、このダミー端子本体１２は、使用されるコネクタ端子挿入部に、ほぼ同寸法に作製されている。また、基台１６と起立片１７と係止片１４とは一体に形成されている。【００５８】  また、係止片１４は、基端部と基台１６との距離より先端部と基台１６との距離が大きく設定されている。また、螺合部１８のネジ穴１８Ａは、押しネジ３０をネジ穴１８Ａに螺合した際に押しネジ３０の先端が係止片１４に接触するように、基台１６のコネクタ端子挿入口への差込方向と角度を持つように設けられている。尚、ダミー端子本体１２、係止片１４、起立片１７の材料は、第一乃至第三の実施例で説明した、成形が容易であると共に安価であり、また絶縁性・弾性を有する合成樹脂が主に用いられている。【００５９】  次に第四の実施例のダミー端子１０がハブ１０１のコネクタ端子差込口に差込まれ、ダミー端子１０の係止状態がロックされる様子を説明する。【００６０】  本考案のダミー端子１０は、通信端末である複数のコンピュータを接続するために、ＬＡＮケーブルのコネクタ端子を多数接続するハブ１０１のコネクタ端子差込口に挿入され、その状態をロックし或は解除するよう取り付けられている。【００６１】  図１３（ｂ）のハブ１０１は、図５で説明したハブと同様の構成となっている。すなわち、ハブ１０１のコネクタ端子差込口１０４には、第一の溝部１０４Ａと第二の溝部１０４Ｂが形成されており、コネクタ端子係止部は、第一の溝部１０４Ａと第二の溝部１０４Ｂとの段差により形成されている。第四の実施例におけるダミー端子１０をコネクタ端子挿入部に差し込んで、押しネジ３０を締め付けると、係止片１４は押しネジ３０の先端で、起立片１７の弾性力に抗してコネクタ端子係止部の方向に押し上げられ、係止部１４Ａがコネクタ端子係止部に固定され、抜き取り禁止の状態となる。この抜き取り禁止の状態により、誤って別のコネクタ端子が差し込まれることを防止することができる。【００６２】  一方、第四の実施例におけるダミー端子１０は、押しネジ３０を緩めると、係止部１４Ａが係止片１４と起立片１７の弾性力により基台１６と略平行となる方向に戻ることにより、係止部１４Ａのコネクタ端子係止部に固定された状態が解除される。この係止部１４Ａの固定状態の解除によりダミー端子１０はコネクタ端子挿入部から抜き取られる。【００６３】＜第五の実施例＞
以下に図１７乃至図２０を用いて第五の実施例を説明する。
以下、本考案のコネクタ端子差込口の識別に係わるダミー端子１０の第５の実施例について図１７乃至第２０図を用いて詳細に説明する。図１７は第一の実施例でのダミー端子１０のコネクタ端子差込口の識別を説明する斜視図、図１８は第二の実施例でのダミー端子１０のコネクタ端子差込口の識別を説明する斜視図、図１９は第三の実施例でのダミー端子１０のコネクタ端子差込口の識別を説明する斜視図、図２０は第四の実施例のダミー端子１０でのコネクタ端子差込口の識別を説明する斜視図である。【００６４】  図１７について詳細に説明するが、共通部分には同じ図番を付してある。第一の実施例でのコネクタ端子差込口の識別を行うダミー端子１０は、ダミー端子本体１２と薄板部１３と係止片１４と押しネジ３０とから構成されている。また、ダミー端子本体１２は、側面部１２Ａ、側面部１２Ｂ、上面部１２Ｃからなる溝状体と、該溝状体の一端に設けられた前面部１２Ｄとから概略構成されている。このダミー端子本体１２は、使用されるコネクタ端子挿入部に、ほぼ同寸法に作製されている。また、薄板部１３は、前面部１２Ｄに取り付けられる固定部１３Ａと、係止片１４の係止状態を規制する規制片１３Ｂとから概略構成されている。また、係止片１４は、ダミー端子本体１２の溝状体の他端側に設けられ、係止片１４をダミー端子本体１２に固着する固着部１４Ａと、撓み部１４Ｂと、係止部１４Ｃと、係止解除部１４Ｄとから構成されている。【００６５】    さらに、第一の実施例でのコネクタ端子差込口の識別を行うダミー端子１０は、識別手段として、カラーシール１１１が固定部１３Ａに貼り付けされている。このカラーシール１１１の貼り付けにより、第一の実施例でのコネクタ端子差込口の識別を行うダミー端子１０が挿入されているコネクタ端子挿入口が種類ごと、即ち、管理者別に使用してよいコネクタ端子差込口や、使用してはいけないコネクタ端子差込口が識別可能となる。【００６６】  図１８について詳細に説明するが、共通部分には同じ図番を付してある。第二の実施例でのコネクタ端子差込口の識別を行うダミー端子１０は、略直方体のダミー端子本体１２と薄板部１３と係止片１４と押しネジ３０とから構成されている。ダミー端子本体１２は、使用されるコネクタ端子挿入部にほぼ同寸法に作製されており、その一端側には薄板部１３が回動自在に設けられ、他端側には係止片１４が固着されている。また、ダミー端子本体１２には、押しネジ３０を螺合するネジ穴１２Ｆが、一端側面に対して垂直方向に設けられている。薄板部１３は、ダミー端子本体１２の一端側に設けられた回動部１２Ｇと、回動部１２Ｇによりダミー端子本体１２の一端側に接触配置される固定部１３Ａと、係止片１４の係止状態を規制する規制片１３Ｂとから概略構成されている。また、固定部１３Ａの中央部付近には、回動部１２Ｇから規制片１３Ｂへ向かう方向と平行に、押しネジを通すための切り欠き部１３Ｄが設けられている。押しネジ３０が緩められてはいるがはずされていない時は、切り欠き部１３Ｄにより薄板部１３は、押しネジ３０が緩められている分だけ回動可能となっている。【００６７】  さらに、第二の実施例でのコネクタ端子差込口の識別を行うダミー端子１��は、識別手段として、カラーシール１１１が薄板部１３に貼り付けされている。このカラーシール１１１の貼り付けにより、第二の実施例でのコネクタ端子差込口の識別を行うダミー端子１０が挿入されているコネクタ端子挿入口が種類ごと、即ち、管理者別に使用してよいコネクタ端子差込口や、使用してはいけないコネクタ端子差込口が識別可能となる。【００６８】  図１９について詳細に説明するが、共通部分には同じ図番を付してある。第三の実施例でのコネクタ端子差込口の識別を行うダミー端子１０は、ダミー端子本体１２と押しネジ３０とから構成されている。また、ダミー端子本体１２は、コネクタ端子挿入口に挿入される略直方体の基台１６と、基台１６のコネクタ端子挿入口に挿入される一端部側と反対の他端部側に設けられた起立片１７と、基台１６と略平行に配設され、先端部にコネクタ端子のコネクタ端子係止部に係止される係止部１４Ａを備え、基端部が起立片１７に接続される係止片１４とから構成されている。また、このダミー端子本体１２は、使用されるコネクタ端子挿入部に、ほぼ同寸法に作製されている。【００６９】  さらに、第三の実施例でのコネクタ端子差込口の識別を行うダミー端子１０は、識別手段として、カラーシール１１１が起立片１７に貼り付けされている。このカラーシール１１１の貼り付けにより、第三の実施例でのコネクタ端子差込口の識別を行うダミー端子１０が挿入されているコネクタ端子挿入口が種類ごと、即ち、管理者別に使用してよいコネクタ端子差込口や、使用してはいけないコネクタ端子差込口が識別可能となる。【００７０】  図２０について詳細に説明するが、共通部分には同じ図番を付してある。第四の実施例でのコネクタ端子差込口の識別を行うダミー端子１０は、ダミー端子本体１２と押しネジ３０とから構成されている。また、ダミー端子本体１２は、コネクタ端子挿入口に挿入される基台１６と、基台１６のコネクタ端子挿入口に挿入される一端部側に設けられた起立片１７と、基台１６と略平行に配設され、先端部にコネクタ端子のコネクタ端子係止部に係止される係止部１４Ａを備え、基端部が起立片１７に接続される係止片１４と、基台１６と一体で形成され押しネジ３０のネジ穴１８Ａが設けられた螺合部１８と、基台１６と一体で形成され、ダミー本体１２をコネクタ端子挿入口に抜き差しする際に手で掴む取っ手部１９から構成されている。また、このダミー端子本体１２は、使用されるコネクタ端子挿入部に、ほぼ同寸法に作製されている。【００７１】  さらに、第四の実施例でのコネクタ端子差込口の識別を行うダミー端子１０は、識別手段として、カラーシール１１１が取っ手部１９に貼り付けされている。このカラーシール１１１の貼り付けにより、第四の実施例でのコネクタ端子差込口の識別を行うダミー端子１０が挿入されているコネクタ端子挿入口が種類ごと、即ち、管理者別に使用してよいコネクタ端子差込口や、使用してはいけないコネクタ端子差込口が識別可能となる。【００７２】＜変形例＞
第五の実施例において、どの部分にカラーシールを貼り付けるかは、管理に都合の良い場所、即ち識別しやすい場所が選定される。また、識別手段としては、カラーシールの他に、ダミー端子１０を着色する方法がある。着色する場所としては、ダミー端子１０全体或いは識別しやすい場所のみ着色するかは問わない。さらには、着色ではなく文字や記号等をダミー端子１０に記載する方法で識別しても良い。【００７３】  また、識別手段として、図８で示した複数種類の押しネジ３０をダミー端子１０ごとに分ける方法がある。特に、特殊ネジによる識別は、ダミー端子１０の脱着を管理者のみが保有する特殊工具で識別することが可能であり、複数の管理者がいる場合等では、自己の管理するコネクタ端子差込口を管理するために極めて有用な方法である。また、複数種類の押しネジ３０での識別と上記第五の実施例におけるカラーシール等による識別を組み合わせてよいことは言うまでもない。
【産業上の利用可能性】
【００７４】  上記実施例においては、主にＬＡＮケーブルのコネクタ端子について説明したが、例えば電話線のモジュラー等の係止機能をもつコネクタ端子であれば、どのようなコネクタ端子であっても利用可能である。
【図面の簡単な説明】
【００７５】
【図１】第一の実施例であるダミー端子１０の斜視図である。
【図２】第一の実施例のダミー端子本体１２とダミー端子本体１２に固着された係止片１４の詳細図である。
【図３】第一の実施例のダミー端子本体１２とダミー端子本体１２に固着された係止片１４の詳細図である。
【図４】第１の実施例の薄板部１３の詳細図である。
【図５】ダミー端子１０が挿入されるハブ１０１のコネクタ端子差込口１０４を示す斜視図である。
【図６】第１の実施例のダミー端子１０がハブ１０１のコネクタ端子差込口１０４に挿入される前の状態を示す図である。
【図７】第１の実施例のダミー端子１０がコネクタ端子差込口１０４に挿入されて、その挿入状態がロックされている状態を示す図である。
【図８】特殊ネジの種類を示す図である。
【図９】第二の実施例のダミー端子１０の斜視図である。
【図１０】第二の実施例の本体１０の平面図である。
【図１１】第二の実施例の本体１０の側面図である。
【図１２】第二の実施例の本体１０の正面図である。
【図１３】第三の実施例のダミー端子１０の斜視図とダミー端子１０がコネクタ端子差込口に挿入された状態の一部断面図である。
【図１４】第三の実施例のダミー端子１０のダミー端子１０の側面図と平面図である。
【図１５】第四の実施例のダミー端子１０の斜視図とダミー端子１０がコネクタ端子差込口に挿入された状態の一部断面図である。
【図１６】第四の実施例のダミー端子１０の側面図と平面図である。
【図１７】第一の実施例でのダミー端子１０のコネクタ端子差込口の識別を説明する斜視図である。
【図１８】第二の実施例でのダミー端子１０のコネクタ端子差込口の識別を説明する斜視図である。
【図１９】第三の実施例でのダミー端子１０のコネクタ端子差込口の識別を説明する斜視図である。
【図２０】第四の実施例のダミー端子１０でのコネクタ端子差込口の識別を説明する斜視図である。
【符号の説明】
【００７６】１０    ダミー端子
１２    ダミー端子本体
１２Ａ    側面部
１２Ｂ    側面部
１２Ｃ    上面部
１２Ｄ    前面部
１２Ｅ    ネジ穴保持部
１２Ｆ    ネジ穴
１２Ｇ    回動部
１３    薄板部
１３Ａ    固定部
１３Ｂ    規制片
１３Ｃ    バカ穴
１３Ｄ    切り欠き部
１４    係止片
１４Ａ    固着部
１４Ｂ    撓み部
１４Ｃ    係止部
１４Ｄ    係止解除部
１４Ｅ    バカ穴
１６    基台
１６Ａ    ネジ部
１７    起立片
１８    螺合部
１８Ａ    ネジ穴
１９    取っ手部
３０    押しネジ
３０Ａ    ネジ頭
３０Ｂ    ネジ部
１０１    ハブ
１０４    コネクタ端子差込口
１０４Ａ    第一の溝部
１０４Ｂ    第二一の溝部
１１１    カラーシール
【図１】
0003101921.tif 000003
【図２】
0003101921.tif 000004
【図３】
0003101921.tif 000005
【図４】
0003101921.tif 000006
【図５】
0003101921.tif 000007
【図６】
0003101921.tif 000008
【図７】
0003101921.tif 000009
【図８】
0003101921.tif 000010
【図９】
0003101921.tif 000011
【図１０】
0003101921.tif 000012
【図１１】
0003101921.tif 000013
【図１２】
0003101921.tif 000014
【図１３】
0003101921.tif 000015
【図１４】
0003101921.tif 000016
【図１５】
0003101921.tif 000017
【図１６】
0003101921.tif 000018
【図１７】
0003101921.tif 000019
【図１８】
0003101921.tif 000020
【図１９】
0003101921.tif 000021
【図２０】
0003101921.tif 000022